(57)【要約】【課題】組立作業手順書の管理システム、管理方法、及び管理プログラムにおいて、組立作業手順書の確認作業の効率化を図る。【解決手段】組立作業手順書の管理システムでは、組立作業手順書表示編集部は、組立作業の組立手順情報を含む組立作業手順書の表示制御及び編集を行う。変更差分情報抽出部は、編集された組立作業手順書の変更前後の差分情報から変更内容を抽出する。変更理由抽出部は、変更内容の変更種別とこの変更種別に対応する１つ以上の変更理由とを関連付けた第１の関連付け情報に基づき、抽出された変更内容の変更種別に対応する変更理由の候補を抽出する。変更内容生成部は、変更理由とこの変更理由に対応し変更内容提示情報を作成するための雛形とを関連付けた第２の関連付け情報に基づき、抽出された変更理由の候補の中からユーザにより選択された変更理由に対応する雛形を抽出し、この雛形を用いて変更内容提示情報を生成する。【選択図】図２
2014211796.tif 000002
【特許請求の範囲】
【請求項１】
組立作業の組立手順情報を含む組立作業手順書の表示制御及び編集を行う組立作業手順書表示編集部と、
前記組立作業手順書表示編集部により編集された前記組立作業手順書の変更前後の差分情報から変更内容を抽出する変更差分情報抽出部と、
前記変更内容の変更種別と該変更種別に対応する１つ以上の変更理由とを関連付けた第１の関連付け情報に基づき、前記変更差分情報抽出部により抽出された前記変更内容の前記変更種別に対応する前記変更理由の候補を抽出する変更理由抽出部と、
前記変更理由と該変更理由に対応し変更内容提示情報を作成するための雛形とを関連付けた第２の関連付け情報に基づき、前記変更理由抽出部により抽出された前記変更理由の候補の中からユーザにより選択された変更理由に対応する前記雛形を抽出し、該雛形を用いて前記変更内容提示情報を生成する変更内容生成部と、を備える、組立作業手順書の管理システム。
【請求項２】
前記組立作業手順書表示編集部により編集された変更前後の前記組立作業手順書の表示制御を行う組立作業手順書確認表示部と、
ユーザにより入力された変更前後の前記組立作業手順書の確認結果を記憶する組立作業手順書確認結果記憶部と、を更に備える、請求項１記載の組立作業手順書の管理システム。
【請求項３】
前記変更理由と前記変更内容情報とを含む変更情報を記憶する改廃訂情報記憶部を更に備える、請求項１又は請求項２記載の組立作業手順書の管理システム。
【請求項４】
前記変更理由の候補を使用頻度の高い順に表示する制御を行い、前記ユーザによる前記変更理由の選択を受け付ける変更理由選択部を更に備えることを特徴とする請求項１から請求項３のいずれか１項記載の組立作業手順書の管理システム。
【請求項５】
前記改廃訂情報記憶部に記憶された前記変更理由及び前記変更内容情報が記載された変更票を作成する変更票作成部を更に備える、請求項３記載の組立作業手順書の管理システム。
【請求項６】
前記組立作業手順書確認表示部は、変更前後の前記組立作業手順書の表示制御を、変更箇所を強調させて行う、請求項２記載の組立作業手順書の管理システム。
【請求項７】
コンピュータを用いて組立作業の組立手順情報を含む組立作業手順書の管理を行う組立作業手順書の管理方法において、
組立作業の組立手順情報を含む組立作業手順書の表示制御及び編集を行う工程と、
編集された前記組立作業手順書の変更前後の差分情報から変更内容を抽出する工程と、
前記変更内容の変更種別と該変更種別に対応する１つ以上の変更理由とを関連付けた第１の関連付け情報に基づき、抽出された前記変更内容の前記変更種別に対応する前記変更理由の候補を抽出する工程と、
前記変更理由と該変更理由に対応し変更内容提示情報を作成するための雛形とを関連付けた第２の関連付け情報に基づき、抽出された前記変更理由の候補の中からユーザにより選択された変更理由に対応する前記雛形を抽出し、該雛形を用いて前記変更内容提示情報を生成する工程と、を備える、組立作業手順書の管理方法。
【請求項８】
組立作業の組立手順情報を含む組立作業手順書の管理を行う組立作業手順書の管理プログラムにおいて、
組立作業の組立手順情報を含む組立作業手順書の表示制御及び編集を行う機能と、
編集された前記組立作業手順書の変更前後の差分情報から変更内容を抽出する機能と、
前記変更内容の変更種別と該変更種別に対応する１つ以上の変更理由とを関連付けた第１の関連付け情報に基づき、抽出された前記変更内容の前記変更種別に対応する前記変更理由の候補を抽出する機能と、
前記変更理由と該変更理由に対応し変更内容提示情報を作成するための雛形とを関連付けた第２の関連付け情報に基づき、抽出された前記変更理由の候補の中からユーザにより選択された変更理由に対応する前記雛形を抽出し、該雛形を用いて前記変更内容提示情報を生成する機能と、をコンピュータに実現させる、組立作業手順書の管理プログラム。
【発明の詳細な説明】
【技術分野】
【０００１】
本発明は、組立作業の組立手順情報を含む組立作業手順書の管理を行う、組立作業手順書の管理システム、管理方法、及び管理プログラムに関する。
【背景技術】
【０００２】
従来、例えば部品、使用工具、説明などの手順ごとの組立手順情報を含む組立作業手順書が、組立作業を行う際に参照されている。このような組立作業手順書を作成するシステムとして、組立作業手順書を作成し、その後に組立作業手順書の承認、審査等を行うシステムが知られている（例えば、特許文献１参照）。
【先行技術文献】
【特許文献】
【０００３】
【特許文献１】特開２００３−６７４４９号公報
【発明の概要】
【発明が解決しようとする課題】
【０００４】
ところで、組立作業手順書は、設計図面の変更などに伴い編集者（編集担当者）により編集される。編集者が組立作業手順書の編集を行った後、例えば、検図者、出図担当者などが変更箇所の内容を確認する。
【０００５】
組立作業手順書の内容確認の一例としては、まず、編集担当者が、自ら編集した組立作業手順書の内容を、チェックシートを用いて確認する。その後、検図者は、組立作業手順書の内容確認、及びチェックシートの確認を行う。そして、承認者は、組立作業手順書の承認、及びチェックシートの承認を行う。最後に、出図担当者が、書誌事項の確認などの最終チェックと、コピー、配布などの出図とを行う。なお、組立作業手順書に不備が発見されれば、その段階で編集担当者に連絡が行き、編集担当者の編集が改めて行われることになる。
【０００６】
このように、組立作業手順書の内容確認は時間がかかるが、上記のような組立作業手順書の承認、審査等を行うシステムでは、人が行う確認作業の効率化を図れていない。そのため、組立作業手順書の確認作業に時間がかかる。
【０００７】
本発明の目的は、組立作業手順書の確認作業の効率化を図ることができる、組立作業手順書の管理システム、管理方法、及び管理プログラムを提供することである。
【課題を解決するための手段】
【０００８】
本発明の組立作業手順書の管理システムは、組立作業の組立手順情報を含む組立作業手順書の表示制御及び編集を行う組立作業手順書表示編集部と、前記組立作業手順書表示編集部により編集された前記組立作業手順書の変更前後の差分情報から変更内容を抽出する変更差分情報抽出部と、前記変更内容の変更種別と該変更種別に対応する１つ以上の変更理由とを関連付けた第１の関連付け情報に基づき、前記変更差分情報抽出部により抽出された前記変更内容の前記変更種別に対応する前記変更理由の候補を抽出する変更理由抽出部と、前記変更理由と該変更理由に対応し変更内容提示情報を作成するための雛形とを関連付けた第２の関連付け情報に基づき、前記変更理由抽出部により抽出された前記変更理由の候補の中からユーザにより選択された変更理由に対応する前記雛形を抽出し、該雛形を用いて前記変更内容提示情報を生成する変更内容生成部と、を備える。
【０００９】
また、前記組立作業手順書の管理システムにおいて、前記組立作業手順書表示編集部により編集された変更前後の前記組立作業手順書の表示制御を行う組立作業手順書確認表示部と、ユーザにより入力された変更前後の前記組立作業手順書の確認結果を記憶する組立作業手順書確認結果記憶部と、を更に備えるようにしてもよい。
【００１０】
また、前記組立作業手順書の管理システムにおいて、前記変更理由と前記変更内容情報とを含む変更情報を記憶する改廃訂情報記憶部を更に備えるようにしてもよい。
また、前記組立作業手順書の管理システムにおいて、前記変更理由の候補を使用頻度の高い順に表示する制御を行い、前記ユーザによる前記変更理由の選択を受け付ける変更理由選択部を更に備えるようにしてもよい。
【００１１】
また、前記組立作業手順書の管理システムにおいて、前記改廃訂情報記憶部に記憶された前記変更理由及び前記変更内容情報が記載された変更票を作成する変更票作成部を更に備えるようにしてもよい。
【００１２】
また、前記組立作業手順書の管理システムにおいて、前記組立作業手順書確認表示部は、変更前後の前記組立作業手順書の表示制御を、変更箇所を強調させて行うようにしてもよい。
【００１３】
本発明の組立作業手順書の管理方法は、コンピュータを用いて組立作業の組立手順情報を含む組立作業手順書の管理を行う組立作業手順書の管理方法において、組立作業の組立手順情報を含む組立作業手順書の表示制御及び編集を行う工程と、編集された前記組立作業手順書の変更前後の差分情報から変更内容を抽出する工程と、前記変更内容の変更種別と該変更種別に対応する１つ以上の変更理由とを関連付けた第１の関連付け情報に基づき、抽出された前記変更内容の前記変更種別に対応する前記変更理由の候補を抽出する工程と、前記変更理由と該変更理由に対応し変更内容提示情報を作成するための雛形とを関連付けた第２の関連付け情報に基づき、抽出された前記変更理由の候補の中からユーザにより選択された変更理由に対応する前記雛形を抽出し、該雛形を用いて前記変更内容提示情報を生成する工程と、を備える。
【００１４】
本発明の組立作業手順書の管理プログラムは、組立作業の組立手順情報を含む組立作業手順書の管理を行う組立作業手順書の管理プログラムにおいて、組立作業の組立手順情報を含む組立作業手順書の表示制御及び編集を行う機能と、編集された前記組立作業手順書の変更前後の差分情報から変更内容を抽出する機能と、前記変更内容の変更種別と該変更種別に対応する１つ以上の変更理由とを関連付けた第１の関連付け情報に基づき、抽出された前記変更内容の前記変更種別に対応する前記変更理由の候補を抽出する機能と、前記変更理由と該変更理由に対応し変更内容提示情報を作成するための雛形とを関連付けた第２の関連付け情報に基づき、抽出された前記変更理由の候補の中からユーザにより選択された変更理由に対応する前記雛形を抽出し、該雛形を用いて前記変更内容提示情報を生成する機能と、をコンピュータに実現させる。
【発明の効果】
【００１５】
本発明によれば、組立作業手順書の確認作業の効率化を図ることができる。
【図面の簡単な説明】
【００１６】
【図１】本発明の一実施の形態に係る組立作業手順書の管理システムを示すブロック図である。
【図２】本発明の一実施の形態に係る組立作業手順書の管理方法の概要を示すフローチャートである。
【図３】本発明の一実施の形態に係る組立作業手順書の管理システムとして動作することが可能なコンピュータのハードウェア構成例である。
【図４Ａ】本発明の一実施の形態における作業手順書作成画面の一例（変更前）である。
【図４Ｂ】本発明の一実施の形態における作業手順書作成画面の一例（変更後）である。
【図５】本発明の一実施の形態における組立作業手順書データ記憶部のデータ構成例である。
【図６】本発明の一実施の形態における改廃訂情報記憶部のデータ構成例（その１）である。
【図７Ａ】本発明の一実施の形態における変更種別・変更理由関連付けデータ記憶部のデータ構成例である。
【図７Ｂ】本発明の一実施の形態における改廃訂情報記憶部のデータ構成例（その２）である。
【図７Ｃ】本発明の一実施の形態における変更理由選択画面の一例である。
【図８】本発明の一実施の形態における変更内容定型文データ記憶部のデータ構成例である。
【図９】本発明の一実施の形態における改廃訂情報記憶部のデータ構成例（その３）である。
【図１０】本発明の一実施の形態における変更箇所確認用画面の一例である。
【図１１】本発明の一実施の形態における組立作業手順書確認結果記憶部のデータ構成例である。
【図１２Ａ】本発明の一実施の形態における変更票画面の一例（フォーマット）である。
【図１２Ｂ】本発明の一実施の形態における変更票画面の一例（完成後）である。
【発明を実施するための形態】
【００１７】
以下、本発明の実施の形態に係る、組立作業手順書の管理システム１、管理方法、及び管理プログラムについて、図面を参照しながら説明する。
図１は、本発明の一実施の形態に係る組立作業手順書の管理システム１を示すブロック図である。
【００１８】
図１に示すように、組立作業手順書の管理システム１は、組立作業手順書表示編集部２と、変更差分情報抽出部３と、変更理由抽出部４と、変更内容生成部５と、を備える。また、組立作業手順書の管理システム１は、組立作業手順書確認表示部６と、組立作業手順書確認結果記憶部７と、改廃訂情報記憶部８と、変更理由選択部９と、変更票作成部１０と、を備えるとよい。
【００１９】
更には、組立作業手順書の管理システム１は、組立作業手順書データ記憶部１１と、変更種別・変更理由関連付けデータ記憶部１２と、変更理由キーワード記憶部１３と、変更内容定型文データ記憶部１４と、を備えるとよい。
【００２０】
組立作業手順書表示編集部２は、図４Ａに示す作業手順書作成画面（変更前）３０−１及び図４Ｂに示す作業手順書作成画面（変更後）３０−２に表示されるように、組立作業の組立手順情報を含む図１に示す組立作業手順書２１の表示制御を行う。例えば、図４Ａ及び図４Ｂに示す作業手順書作成画面３０には、工程情報３１と、品質項目情報３２と、作業説明・注意事項情報３３とが含まれている。
【００２１】
組立作業手順書表示編集部２は、ユーザ（編集者）の組立作業手順書作成画面３０上における変更操作を、後述するコンピュータ１００の入力部１０３から適宜受け付けることで作業手順書２１を編集する。作業手順書作成画面３０により編集されたデータは、図５に示すように、例えば、製品コードの訂番ごとに、手順、作業種別、使用部品、使用治工具、品質項目、作業説明等の情報として組立作業手順書データ記憶部１１に登録される。なお、組立作業手順書表示編集部２は、組立作業手順書２１の変更を行うが、組立作業手順書表示編集部２１の新たな作成を行ってもよい。
【００２２】
変更差分情報抽出部３は、組立作業手順書表示編集部２により編集された組立作業手順書２１の変更前後の差分情報から変更内容を抽出する。例えば、変更差分情報抽出部３は、図５に示す組立作業手順書データ記憶部１１のデータテーブルから、製品コード「PRODUCT01」の手順「２」の作業種別「作業２」において、訂番「１」（例えば新規作成時）から訂番「２」（例えば第１回目の編集）にかけて、使用部品「部品２」が「部品２´」に変更されたという変更内容を抽出する。
【００２３】
変更差分情報抽出部３により抽出された変更内容は、図６に示す改廃訂情報記憶部８のデータテーブルに、変更内容（前）「部品２」から変更内容（後）「部品２´」への変更として、変更種別「部品変更」とともに登録される。
【００２４】
変更理由抽出部４は、第１の関連付け情報に基づき、変更差分情報抽出部３により抽出された変更内容の変更種別に対応する変更理由の候補を抽出する。第１の関連付け情報は、変更内容の変更種別と、この変更種別に対応する１つ以上の変更理由とを関連付けた情報である。
【００２５】
第１の関連付け情報は、図７Ａに示す変更種別・変更理由関連付けデータ記憶部１２のデータテーブルに登録されているように、変更種別が「部品変更」であるならば、変更理由は「図訂」、「手配上」、「部品規格変更」などであるという情報である。なお、変更種別に対応する変更理由は、複数ではなく１つの場合もありうる。また、変更理由である「図訂」、「手配上」、「部品規格変更」などのキーワードは、変更理由キーワード記憶部１３に記憶されているが、変更種別・変更理由関連付けデータ記憶部１２では、過去に行われた変更に関する変更種別と、それに対応する変更理由とが記憶されている。
【００２６】
変更内容生成部５は、第２の関連付け情報に基づき、変更理由抽出部４により抽出された変更理由の候補の中からユーザにより選択された変更理由に対応する定型文（雛形の一例）を抽出する。また、変更内容生成部５は、定型文を用いて変更内容の文章（変更内容提示情報の一例）を生成する。なお、変更内容提示情報は、例えば１つ又は複数の文である文章に限らず、１つ以上の単語のみであってもよい。或いは、変更内容提示情報は、記号のみからなるもの又は記号を含むものであってもよく、特に制限されない。変更内容提示情報としては、何らかの形でユーザに提示される（ユーザが見られる）ものであればよい。
【００２７】
第２の関連付け情報は、変更理由と、この変更理由に対応し変更内容の文章を作成するための定型文とを関連付けた情報である。第２の関連付け情報は、例えば、図８に示す変更内容定型文データ記憶部１４のデータテーブルに登録されているように、変更理由が「図訂」であるならば、変更内容（後）定型文「図番変更（変更前図番→変更後図番）」であるという情報である。なお、図番は、本実施の形態では設計図の構成部分、例えば部品名などを表す。
【００２８】
変更内容（後）定型文のうち括弧書き部分の「（変更前図番→変更後図番）」に変更内容に関する情報が挿入される。変更理由「新規作成」のように、定型文「新規作成」がそのまま変更内容（後）の文章「新規作成」となってもよい。また、本実施の形態では、変更内容（後）定型文のみならず、変更内容（前）定型文の欄も設けられ、変更理由「図訂」の場合、「｛変更前図番｝」という情報が含まれるが、変更内容（前）定型文の欄は、変更理由「新規作成」や「新製品追加」のように空欄であってもよいし、変更内容（前）定型文自体を省略してもよい。変更内容（前）の文章及び変更内容（後）の文章は、図９に示すように、改廃訂情報記憶部８に登録される。
【００２９】
組立作業手順書確認表示部６は、組立作業手順書表示編集部２により編集された変更前後の組立作業手順書２１の表示制御を行う。例えば、図１０に示すように、変更前の変更箇所確認用画面５０−１及び変更後の変更箇所確認用画面５０−２は、同時に図３に示す表示部１０３に表示されるが、前後して表示されるようにしてもよい。
【００３０】
組立作業手順書確認表示部６は、変更前後の組立作業手順書２１の表示制御を、変更箇所を強調させて行うとよい。例えば、図１０に示す変更前の変更箇所確認用画面５０−１及び変更後の変更箇所確認用画面５０−２では、部品Ａが部品Ｘに変更になっている。そのため、画面左側においては、手順図形がツリー構造となった手順情報のうち「部品Ａ」又は「部品Ｘ」の記載が強調表示されている。また、画面右側においては、「ユニットＢに組み付ける」又は「ユニットＢに組付」という記載以外の文章や説明図面が強調表示されている。
【００３１】
強調表示は、例えば、図１０に示すように強調しない部分を薄くするほか、例えば、強調する部分を、濃くしたり、太くしたり、色を変更したり、拡大したり、囲むなどの目印を付けたりすることが考えられるが、強調方法は特に制限されない。
【００３２】
組立作業手順書確認表示部６は、例えば図１０に示す変更内容を表す変更箇所確認用画面５０−３を、例えば変更前後の変更箇所確認用画面５０−１，５０−２と同時に表示するとよい。この変更箇所確認用画面５０−３は、ユーザに変更内容や変更理由を提示し、上記の変更箇所確認用画面５０−１，５０−２を確認したことのチェックを付ける確認欄を設けている。このような確認を編集者や検図者が確認した後に、組立作業手順書２１の承認や発行が行われる。
【００３３】
なお、図１０に示す変更箇所確認用画面５０−１，５０−２では、図番変更に関する変更箇所（ＩＤ「図訂Ｎｏ．０１」）が表示されている。しかし、ユーザが図１０に示す変更箇所確認用画面５０−３において選択部分（破線）を他の変更箇所（ＩＤ「改訂Ｎｏ．０１」）に移動させると、図１０の変更箇所確認用画面５０−１，５０−２の画面右側において、「ユニットＢに組み付ける」又は「ユニットＢに組付」という記載のみが強調表示されることになる。
【００３４】
組立作業手順書確認結果記憶部７は、例えば上記の図１０に示す変更箇所確認用画面５０−３においてユーザにより入力された変更前後の組立作業手順書２１の確認結果を、図１１に示すように、確認者、確認日（或いは確認日時）などとともに記憶する。なお、種別の「図訂」は、設計図面の訂正に伴う訂正箇所であり、種別の「改訂」は、設計図面の訂正に伴うものではない訂正箇所、例えば説明文のみの変更などである。
【００３５】
改廃訂情報記憶部８は、上述のとおり、図６、図７Ｂ、及び図９に示すような、変更理由と変更内容情報とを含む変更情報を記憶する。改廃訂情報記憶部８は、図６、図７Ｂ、及び図９に示す変更情報を図１に示す改廃訂一覧２２として出力可能とするとよい。
【００３６】
変更理由選択部９は、変更理由抽出部４が抽出する１つ以上の変更理由の候補を、図７Ｃに示す変更理由選択画面４０のように使用頻度の高い順に表示する制御を行い、ユーザによる変更理由の選択を受け付ける。
【００３７】
図７Ｃの変更理由選択画面４０では、図７Ａに示すように、変更種別「部品変更」に対応して使用された変更理由として「図訂」が３つで、「手配上」が２つで、「商品規格変更」が１つである場合、使用頻度の高い順に、「図訂」、「手配上」、「商品規格変更」と表示される。なお、例えば使用頻度が同数であれば、最後に使用された変更理由の日時が新しい方の変更理由を上位とすればよい。ユーザにより選択された変更理由は、変更種別とともに変更種別・変更理由関連付けデータ記憶部１２に登録される。
【００３８】
変更票作成部１０は、改廃訂情報記憶部８に記憶された変更理由及び変更内容情報が記載された図１に示す変更票２３を作成する。変更票作成部１０は、例えば図１２Ａに示す変更票画面（フォーマット）６０−１に対し、変更理由、変更内容（変更内容情報）、変更理由の詳細、配布先、件名、製品名、発行日、発行元などを図１２Ｂに示す変更票画面（完成後）６０−２のように入力する。変更票２３は、変更が行われる度に作成され、承認者、作成者などの情報を入力されてチェックシートとして機能するものであることが望ましい。変更票画面（完成後）６０−２は、図１に示す変更票２３として出力可能である。
【００３９】
組立作業手順書データ記憶部１１は、図５に示すように、製品コードの訂番ごとに、手順、作業種別、使用部品、使用治工具、品質項目、作業説明などの情報を有する。
変更種別・変更理由関連付けデータ記憶部１２は、図７Ａに示すように、変更種別が「部品変更」であるならば、変更理由は「図訂」、「手配上」、「部品規格変更」などであるという情報である。なお、上述のとおり、変更種別・変更理由関連付けデータ記憶部１２には、過去に行われた変更内容に関する変更種別と、それに対応する変更理由とが記憶されている。
【００４０】
変更理由キーワード記憶部１３には、上述のとおり、変更理由である「図訂」、「手配上」、「部品規格変更」などのキーワードが記憶されている。変更理由キーワード記憶部１３に記憶されるキーワードは、対応する変更理由が存在しないときに追加できたり、使用頻度の少ない変更理由について削除できたりといった更新をできることが望ましい。
【００４１】
変更内容定型文データ記憶部１４は、上述のとおり、図８に示すように、変更理由（図訂）と、この変更理由に対応し変更内容の文章を作成するための変更内容（後）定型文（図番変更（変更前図番→変更後図番））とを関連付けた情報を記憶する。
【００４２】
図２は、本発明の一実施の形態に係る組立作業手順書の管理方法の概要を示すフローチャートである。
図３は、組立作業手順書の管理システム１として動作することが可能なコンピュータ１００のハードウェア構成例である。
【００４３】
図３に示すコンピュータ１００は、ＣＰＵ１０１と、記憶部１０２と、入力部１０３と、表示部１０４と、インターフェース部１０５と、記録媒体駆動部１０６とを備える。これらの構成要素は、バスライン１０７を介して接続されており、各種のデータを互いに授受する。
【００４４】
ＣＰＵ（Central Processing Unit）１０１は、コンピュータ１００全体の動作を制御する演算処理装置である。ＣＰＵ１０１は、後述する組立作業手順書の管理用の制御プログラムを読み出して実行することにより、組立作業手順書の管理の処理を行う。ＣＰＵ１０１は、少なくとも図１に示す組立作業手順書の編集者のコンピュータ１００−１において、組立作業手順書表示編集部２、変更差分情報抽出部３、変更理由抽出部４、変更内容生成部５等として動作するとよい。また、少なくとも検図者のコンピュータ１００−２において、組立作業手順書確認表示部６、組立作業手順書確認結果記憶部７等として動作するとよい。もちろん、単一のコンピュータ１００において、上記の構成要素すべてとして動作してもよい。
【００４５】
記憶部１０２は、ＲＯＭ（Read Only Memory）、ＲＡＭ（Random Access Memory）、ハードディスクなどを含む。記憶部１０２は、組立作業手順書確認結果記憶部７、改廃訂情報記憶部８等として動作する。なお、これら組立作業手順書確認結果記憶部７、改廃訂情報記憶部８等としては、複数のコンピュータ１００からインターフェース部１０５を介して接続されるサーバ等の記憶部であってもよい。
【００４６】
ＲＯＭは、所定の基本制御プログラムが予め記録されている読み出し専用半導体メモリである。なお、ＲＯＭとして、フラッシュメモリ等の、電力供給の停止に対して記憶データが不揮発性であるメモリを使用してもよい。
【００４７】
ＲＡＭは、ＣＰＵ１０１が各種の制御プログラムを実行する際に、必要に応じて作業用記憶領域として使用される随時書き込み読み出し可能な半導体メモリである。
ハードディスクは、ＣＰＵ１０１によって実行される各種の制御プログラムや各種のデータを記憶する。
【００４８】
入力部１０３は、例えばキーボード装置やマウス装置であり、コンピュータ１００のユーザ（編集者、検図者）により操作されると、その操作内容に対応付けられているユーザからの各種の入力情報を取得し、取得した入力情報をＣＰＵ１０１に送る。
【００４９】
表示部１０４は、例えばディスプレイであり、ＣＰＵ１０１から送られる表示データに応じて、例えば作業手順書作成画面３０などの、各種のテキストや画像を表示する。
インターフェース部１０５は、コンピュータ１００に接続される各種機器との間での各種情報の授受の管理を行う。
【００５０】
記録媒体駆動部１０６は、可搬型記録媒体１０８に記録されている各種の制御プログラムやデータの読み出しを行う装置である。ＣＰＵ１０１は、可搬型記録媒体１０８に記録されている所定の制御プログラムを、記録媒体駆動装置１０６を介して読み出して実行することによって、後述する各種の制御処理を行うようにすることもできる。
【００５１】
なお、可搬型記録媒体１０８としては、例えばＣＤ−ＲＯＭ（Compact Disc Read Only Memory）やＤＶＤ−ＲＯＭ（Digital Versatile Disc Read Only Memory）、ＵＳＢ（Universal Serial Bus）規格のコネクタが備えられているフラッシュメモリなどがある。
【００５２】
このようなコンピュータ１００を組立作業手順書の管理システム１として動作させるために、まず、後述する管理処理の各処理ステップをＣＰＵ１０１に行わせるための制御プログラム（組立作業手順書の管理プログラム）が作成される。この作成された制御プログラムは、記憶部１０２のハードディスク装置、又は可搬型記録媒体１０７に予め格納される。そして、ＣＰＵ１０１に所定の指示が与えられることで、制御プログラムが読み出されて実行される。これにより、１つ又は複数のコンピュータ１００が、組立作業手順書の管理システム１として動作する。
【００５３】
以下、コンピュータ１００を用いて行われる図２に示す組立作業手順書の管理方法の概要を説明する。なお、上述の説明と重複する事項については適宜説明を省略する。
まず、組立作業手順書表示編集部２は、組立作業の組立手順情報を含む組立作業手順書２１の表示制御及び編集を行う（ステップＳ１）。
【００５４】
ユーザ（編集者）は、例えば、図４Ａに示す作業手順書作成画面（変更前）３０−１上において、部品２を部品２´に変更する操作を行う。組立作業手順書表示編集部２は、この操作を、図３に示す入力部１０３から受け付けることで作業手順書２１を編集する。このように編集された情報は、図５に示すように組立作業手順書データ記憶部１１に登録される。
【００５５】
次に、変更差分情報抽出部３は、上述のように編集された組立作業手順書２１の変更前後の差分情報から変更内容を抽出する（ステップＳ２）。
変更差分情報抽出部３は、図５に示す組立作業手順書データ記憶部１１のデータテーブルから製品の訂番ごとの情報（例えば、訂番１と訂番２）を比較して変更内容を抽出する。この変更内容は、図６に示す改廃訂情報記憶部８のデータテーブルに、変更内容（前）「部品２」から変更内容（後）「部品２´」への変更として、変更種別「部品変更」とともに登録される。図６に示す改廃訂情報記憶部８のデータテーブルでは、編集者である担当者の名前「山田」とともに、承認者の名前「田中」を入力可能となっている。この承認は、編集作業の後に行われるものである。
【００５６】
次に、変更理由抽出部４は、変更内容の変更種別と、この変更種別に対応する１つ以上の変更理由とを関連付けた第１の関連付け情報に基づき、上述のように抽出された変更内容（部品２→部品２´）の変更種別（部品変更）に対応する変更理由の候補を抽出する（ステップＳ３）。
【００５７】
変更理由抽出部４は、図７Ａに示す変更種別・変更理由関連付けデータ記憶部１２のデータテーブルに基づき、使用頻度の最も高い変更理由「図訂」を図７Ｂに示すようにデフォルトで改廃訂情報記憶部８へ登録してもよい。なお、変更理由については、手順書変更時の傾向からデフォルト登録してもよい（例えば、新製品立ち上げ時期に、変更理由が「図訂」にデフォルト登録される）。そして、ユーザが変更理由「図訂」を変更する場合、或いは、デフォルトでの登録を行わない場合、変更理由選択部９が、図７Ｃに示す変更理由選択画面４０のように、変更理由の候補を、使用頻度の高い順に表示する制御を行い、ユーザによる変更理由の選択を受け付けるとよい。
【００５８】
次に、変更内容生成部５は、変更理由と、この変更理由に対応し変更内容の文章（変更内容提示情報の一例）を作成するための定型文（雛形の一例）とを関連付けた第２の関連付け情報に基づき、抽出された変更理由の候補の中からユーザにより選択された変更理由に対応する定型文を抽出する。また、変更内容生成部５は、定型文を用いて変更内容の文章を生成する。（ステップＳ４）
【００５９】
変更内容生成部５は、例えば、図８に示す変更内容定型文データ記憶部１４のデータテーブルのように、変更理由が「図訂」であるならば、変更内容（後）定型文「図番変更（変更前図番→変更後図番）」であるという情報を、定型文として抽出する。上述のように、定型文としては、変更内容（前）定型文「｛変更前図番｝」も含んでいてもよい。
【００６０】
また、変更内容生成部５は、定型文のうち括弧書き部分の「変更前図番」に「部品２」を、「変更後図番」に「部品２´」を挿入することで、変更内容（前）の文章及び変更内容（後）の文章を作成する。これらの文章は、図９に示すように、改廃訂情報記憶部８に登録される。
【００６１】
以上の図２に示す各処理が組立作業手順書の管理方法の主な処理であるが、後述するように、変更前後の組立作業手順書２１（変更箇所確認用画面５０）の表示制御を行ったり（図１０）、変更票の作成を行ったりするとよい（図１２Ａ及び図１２Ｂ）。以下、これらについて説明する。
【００６２】
まず、変更前後の組立作業手順書２１（変更箇所確認用画面５０）の表示制御については、組立作業手順書確認表示部６が、例えば、図１０に示すように、変更前の変更箇所確認用画面５０−１及び変更後の変更箇所確認用画面５０−２を同時に、又は前後して、図３に示す表示部１０３に表示させる。この際、組立作業手順書確認表示部６は、変更前後の組立作業手順書２１の表示制御を、上述のように変更箇所を強調させて行うとよい。
【００６３】
また、組立作業手順書確認表示部６は、例えば図１０に示す変更内容を表す変更箇所確認用画面５０−３を、例えば変更前後の変更箇所確認用画面５０−１，５０−２と同時に表示するとよい。この変更箇所確認用画面５０−３は、ユーザに変更内容や変更理由を提示し、上記の図１０に示す変更箇所確認用画面５０−１，５０−２を確認したことのチェックを付ける確認欄を設けている。
【００６４】
組立作業手順書確認結果記憶部７は、例えば上記の図１０に示す変更箇所確認用画面５０−３においてユーザにより入力された変更前後の組立作業手順書２１の確認結果を、図１１に示すように、確認者や確認日とともに記憶する。
【００６５】
次に、変更票の作成については、変更票作成部１０が、改廃訂情報記憶部８に記憶された変更理由及び変更内容情報が記載された変更票２３を作成する。変更票作成部１０は、例えば図１２Ａに示す変更票画面（フォーマット）６０−１に対し、変更理由、変更内容（変更内容情報）などを図１２Ｂに示す変更票画面（完成後）６０−２のように入力する。
【００６６】
以上説明した本実施の形態では、組立作業手順書表示編集部２は、組立作業の組立手順情報を含む組立作業手順書２１（作業手順書作成画面３０）の表示制御及び編集を行う。変更差分情報抽出部３は、組立作業手順書表示編集部２により編集された組立作業手順書２１の変更前後の差分情報から変更内容を抽出する。変更理由抽出部４は、変更内容の変更種別と、この変更種別に対応する１つ以上の変更理由とを関連付けた第１の関連付け情報に基づき、変更差分情報抽出部３により抽出された変更内容の変更種別に対応する変更理由の候補を抽出する。変更内容生成部５は、変更理由と、この変更理由に対応し変更内容の文章（変更内容提示情報の一例）を作成するための定型文（雛形の一例）とを関連付けた第２の関連付け情報に基づき、変更理由抽出部４により抽出された変更理由の候補の中からユーザにより選択された変更理由に対応する定型文を抽出し、この定型文を用いて変更内容の文章を生成する。
【００６７】
そのため、組立作業手順書２１の編集により得られる変更内容の変更種別に基づき、変更理由と変更内容提示情報とを得ることができ、しかも、変更理由は特定の候補から選択され、変更内容提示情報は雛形を用いて作成される。したがって、情報が標準化され、組立作業手順書２１の内容確認時の可読性が上がる。
【００６８】
よって、本実施の形態によれば、組立作業手順書２１の確認作業の効率化を図ることができる。
また、本実施の形態では、組立作業手順書確認表示部６は、組立作業手順書表示編集部２により編集された変更前後の組立作業手順書２１（変更箇所確認用画面５０−１，５０−２）の表示制御を行う。組立作業手順書確認結果記憶部７は、ユーザにより入力された変更前後の組立作業手順書２１の確認結果（変更箇所確認用画面５０−３の確認欄）を記憶する。そのため、より一層、組立作業手順書２１の確認作業の効率化を図ることができる。
【００６９】
また、本実施の形態では、改廃訂情報記憶部８は、変更理由抽出部４により抽出されユーザにより選択された変更理由と、この変更理由に対応する変更内容情報とを含む変更情報を記憶する。そのため、より一層、組立作業手順書２１の確認作業の効率化を図ることができる。
【００７０】
また、本実施の形態では、変更理由選択部９は、図７Ｃに示すように変更理由の候補を使用頻度の高い順に表示する制御を行い、ユーザによる変更理由の選択を受け付ける。そのため、より一層、組立作業手順書２１の確認作業の効率化を図ることができる。
【００７１】
また、本実施の形態では、変更票作成部１０は、改廃訂情報記憶部８に記憶された変更理由及び変更内容情報が記載された変更票２３を作成する。そのため、組立作業手順書２１の確認作業に付随して行われる変更票の作成の効率化を図ることができる。
【００７２】
また、本実施の形態では、組立作業手順書確認表示部６は、変更前後の組立作業手順書２１（変更箇所確認用画面５０−１，５０−２）の表示制御を、変更箇所を強調させて行う。そのため、より一層、組立作業手順書２１の確認作業の効率化を図ることができる。
【符号の説明】
【００７３】
１      組立作業手順書の管理システム
２      組立作業手順書表示編集部
３      変更差分情報抽出部
４      変更理由抽出部
５      変更内容生成部
６      組立作業手順書確認表示部
７      組立作業手順書確認結果記憶部
８      改廃訂情報記憶部
９      変更理由選択部
１０      変更票作成部
１１      組立作業手順書データ記憶部
１２      変更種別・変更理由関連付けデータ記憶部
１３      変更理由キーワード記憶部
１４      変更内容定型文データ記憶部
２１      組立作業手順書
２２      改廃訂一覧
２３      変更票
３０      作業手順書作成画面
３１      工程情報
３２      品質項目情報
３３      作業説明・注意事項情報
４０      変更理由選択画面
５０      変更箇所確認用画面
６０      変更票画面
１００      コンピュータ
１０１      ＣＰＵ
１０２      記憶部
１０３      入力部
１０４      表示部
１０５      インターフェース部
１０６      記録媒体駆動部
１０７      バスライン
１０８      可搬型記録媒体
【図２】
2014211796.tif 000003
【図３】
2014211796.tif 000004
【図４Ａ】
2014211796.tif 000005
【図４Ｂ】
2014211796.tif 000006
【図５】
2014211796.tif 000007
【図６】
2014211796.tif 000008
【図７Ａ】
2014211796.tif 000009
【図７Ｂ】
2014211796.tif 000010
【図７Ｃ】
2014211796.tif 000011
【図８】
2014211796.tif 000012
【図９】
2014211796.tif 000013
【図１１】
2014211796.tif 000014
【図１２Ａ】
2014211796.tif 000015
【図１２Ｂ】
2014211796.tif 000016
【図１】
2014211796.tif 000017
【図１０】
2014211796.tif 000018